(57)【要約】【課題】  円滑かつ簡単に、自動復旧機能試験を実施する。【解決手段】  自動復旧装置に接続されるＡＲＥ入力端子２１ａ，２１ｂ，２１ｃと、ＶＬの電圧（１００Ｖ又は６３．５Ｖ）を選択するための電圧切替スイッチ２３と、ＶＢの「有り」又は「無し」を選択するためのＶＢ切替スイッチ２４と、ＶＬの「有り」又は「無し」を選択するためのＶＬ切替スイッチ２５と、全停遮断ボタン２６と、ＰＴＴプラグを介して自動復旧装置のＰＴＴターミナルに接続されるＶＢ出力部２７及びＶＬ出力部２８とを有している。【選択図】  図１
2011160624.tif 000002
【特許請求の範囲】
【請求項１】
母線の電圧と、前記母線に接続される回線の電圧とに基づいて、前記回線に配置された遮断器の開閉を制御する自動復旧装置の機能を試験するための自動復旧機能試験装置であって、
前記母線の電圧に対応する第１の電圧を前記自動復旧装置へ供給するための第１の電圧設定手段と、前記回線の電圧に対応する第２の電圧を前記自動復旧装置へ供給するための第２の電圧設定手段とを備え、
前記第１の電圧設定手段によって、前記第１の電圧が、前記母線の電圧が無しの場合に対応させて設定され、かつ、前記第２の電圧設定手段によって、前記第２の電圧が、前記回線の電圧が無しの場合に対応させて設定されることによって、前記自動復旧装置による全停時の前記遮断器の遮断の試験がなされ、
再閉路条件に応じて、前記第１の電圧設定手段によって、前記第１の電圧が、前記母線の電圧が無し又は有りの場合に対応させて設定され、かつ、前記第２の電圧設定手段によって、前記第２の電圧が、前記回線の電圧が無し又は有りの場合に対応させて設定されることによって、前記自動復旧装置による再閉路時の前記遮断器の投入の試験がなされる
ことを特徴とする自動復旧機能試験装置。
【請求項２】
前記回線の電圧が有りの場合に対応する前記第２の電圧を変更して設定する電圧変更設定手段を備えたことを特徴とする請求項１に記載の自動復旧機能試験装置。
【請求項３】
前記第１の電圧を、前記母線の電圧が無しの場合に対応させて設定し、かつ、前記第２の電圧を、前記回線の電圧が無しの場合に対応させて設定するための全停遮断操作手段を備えたことを特徴とする請求項１又は２に記載の自動復旧機能試験装置。
【請求項４】
母線の電圧と、前記母線に接続される回線の電圧とに基づいて、前記回線に配置された遮断器の開閉を制御する自動復旧装置の機能を試験するための自動復旧機能試験方法であって、
前記自動復旧装置に、前記母線の電圧に対応する第１の電圧を前記自動復旧装置へ供給するための第１の電圧設定手段と、前記回線の電圧に対応する第２の電圧を前記自動復旧機能試験装置へ供給するための第２の電圧設定手段とを備えた自動復旧機能試験装置を接続し、
前記第１の電圧設定手段によって、前記第１の電圧を、前記母線の電圧が無しの場合に対応させて設定し、かつ、前記第２の電圧設定手段によって、前記第２の電圧を、前記回線の電圧が無しの場合に対応させて設定して、前記自動復旧装置による全停時の前記遮断器の遮断の試験を実施し、
再閉路条件に応じて、前記第１の電圧設定手段によって、前記第１の電圧を、前記母線の電圧が無し又は有りの場合に対応させて設定し、かつ、前記第２の電圧設定手段によって、前記第２の電圧を、前記回線の電圧が無し又は有りの場合に対応させて設定して、前記自動復旧装置による再閉路時の前記遮断器の投入の試験を実施する
ことを特徴とする自動復旧機能試験方法。
【発明の詳細な説明】
【技術分野】
【０００１】
この発明は、例えば、変電所等の電気所に設置される自動復旧装置の機能を試験するための自動復旧機能試験装置及び自動復旧機能試験方法に関する。
【背景技術】
【０００２】
従来より、発電所や、変電所等の電気所には、例えば、遮断器の事故による遮断から一定時間経過後に、遮断した遮断器を入操作により自動的に復旧するための自動復旧装置（ＡＲＥ）が設置されている。自動復旧装置は、送電線ユニット毎に、母線電圧無し及び線路電圧無しを検出し、一定時間（例えば５秒）継続すると、該当送電線を遮断する（例えば、特許文献１参照。）。
【０００３】
図１１（ａ）に示すように、自動復旧装置１０１には、テストターミナル１０４，１０４，…が、回線に対応して多数設けられている。テストターミナル１０４は、それぞれ、変圧器回路及び変流器回路に組み込まれる計器用変圧器テストターミナル（ＰＴＴターミナル）及び計器用変流器テストターミナル（ＣＴＴターミナル）を含んでいる。
【０００４】
例えば、リレーと自動復旧装置１０１とを組み合わせての実遮断器遮断試験時には、自動復旧装置１０１のテストターミナル１０４のプラグ挿入口に、図１２（ａ）及び図１２（ｂ）に示すように、ＰＴＴプラグ１０３が挿入され（ステップＳＴ１１（図１４））、ＰＴＴプラグ１０３に電圧発生器１０２が接続され（ステップＳＴ１２）、図１１（ａ）及び図１１（ｂ）に示すように、電圧発生器１０２から、母線電圧に対応する電圧（以下、ＶＢという。）及び線路電圧に対応する電圧（以下、ＶＬという。）を印加し（ステップＳＴ１３）、遮断器を「入り」操作する（ステップＳＴ１４）。
【０００５】
次に、リレー模擬動作又は全停遮断動作を選択する（ステップＳＴ１５）。リレー模擬動作の場合は、ステップＳＴ１６へ進み、全停遮断動作の場合は、ステップＳＴ１７へ進む。ステップＳＴ１６では、リレー盤において、模擬動作を実施し、遮断器が「切り」となる（ステップＳＴ１９）。
【０００６】
ステップＳＴ１７で、電圧発生器１０２からのＶＢ及びＶＬの出力がＯＦＦとなると、全停用タイマが動作し（ステップＳＴ１８）、所定時間（５ｓ）後に、遮断器が「切り」となる（ステップＳＴ１９）。
【０００７】
次に、ステップＳＴ２０で、電圧発生器１０２において、ＶＬの出力のみＯＦＦとする。ここで、例えば、試験ケーブルを外す。これにより、ＶＢ有り、ＶＬ無しとなり（ステップＳＴ２１）、投入用タイマが動作し（ステップＳＴ２２）、所定時間後に、遮断器が「入り」となる（ステップＳＴ２３）。ここで、例えば、試験ケーブルを接続する。
【０００８】
ステップＳＴ２５で、例えば、遮断器「入り」で、ＶＢとＶＬとの間に差電圧が「有り」の状態が所定時間以上継続すると、不良検出タイマによって計時されて、ＡＲＥ不良信号が供給され、ＡＲＥ不良表示がなされる（ステップＳＴ２６）。また、例えば、遮断器「入り」で、ＶＢとＶＬとの間に差電圧が「有り」の状態が所定時間以内で解除された場合は、処理を終了する。
【０００９】
ところで、ＶＢ及びＶＬとして入力される電圧が線間電圧（１１０Ｖ）の場合は、電圧発生器１０２は、１相分の入力が可能であれば良いが、ＶＢとして入力される電圧が線間電圧（１１０Ｖ）で、ＶＬとして入力される電圧が相電圧（６３．５Ｖ）の場合は、２相分の入力が可能である必要がある。
【００１０】
また、再閉路を実施する場合に、再閉路方式が電力系統の形態によって異なるために、遮断器「切り」後に、電力系統に応じて、再閉路条件を、ＶＢ有り、ＶＬ無しや、ＶＢ無し、ＶＬ有り等と設定する必要がある。例えば、ＶＬ無しとするために、図１３（ａ）及び図１３（ｃ）に示すように、試験用ケーブルの非接続箇所Ｋａを設ける必要がある。同様に、ＶＢ無しとするために、図１３（ｂ）に示すように、試験用ケーブルの非接続箇所Ｋｂを設ける必要がある。このため、再閉路条件の設定に手間取る上に、作業員が感電したり、接地させてしまう虞がある。
【先行技術文献】
【特許文献】
【００１１】
【特許文献１】特開２００９―１９５０３９号公報
【発明の概要】
【発明が解決しようとする課題】
【００１２】
しかしながら、上記従来技術では、電圧発生器は、１相分の入力が可能であれば良い場合と、２相分の入力が必要な場合とがあり、試験の実施に手間取るという問題がある。また、試験ケーブルの取外し等の際に、作業員が感電する危険があるという問題がある。
【００１３】
この発明は、前記の課題を解決し、円滑に、かつ、簡単に試験を実施することができる自動復旧機能試験装置及び自動復旧機能試験方法を提供することを第１の目的としている。
【００１４】
また、この発明は、試験の際の安全性を向上させることができる自動復旧機能試験装置及び自動復旧機能試験方法を提供することを第２の目的としている。
【課題を解決するための手段】
【００１５】
前記の課題を解決するために、請求項１の発明は、母線の電圧と、前記母線に接続される回線の電圧とに基づいて、前記回線に配置された遮断器の開閉を制御する自動復旧装置の機能を試験するための自動復旧機能試験装置であって、前記母線の電圧に対応する第１の電圧を前記自動復旧装置へ供給するための第１の電圧設定手段と、前記回線の電圧に対応する第２の電圧を前記自動復旧装置へ供給するための第２の電圧設定手段とを備え、前記第１の電圧設定手段によって、前記第１の電圧が、前記母線の電圧が無しの場合に対応させて設定され、かつ、前記第２の電圧設定手段によって、前記第２の電圧が、前記回線の電圧が無しの場合に対応させて設定されることによって、前記自動復旧装置による全停時の前記遮断器の遮断の試験がなされ、再閉路条件に応じて、前記第１の電圧設定手段によって、前記第１の電圧が、前記母線の電圧が無し又は有りの場合に対応させて設定され、かつ、前記第２の電圧設定手段によって、前記第２の電圧が、前記回線の電圧が無し又は有りの場合に対応させて設定されることによって、前記自動復旧装置による再閉路時の前記遮断器の投入の試験がなされることを特徴としている。
【００１６】
請求項１の発明では、第１の電圧設定手段によって、第１の電圧が、母線の電圧が無しの場合に対応させて設定され、かつ、第２の電圧設定手段によって、第２の電圧が、回線の電圧が無しの場合に対応させて設定されることによって、自動復旧装置による全停時の遮断器の遮断の試験がなされ、再閉路条件に応じて、第１の電圧設定手段によって、第１の電圧が、母線の電圧が無し又は有りの場合に対応させて設定され、かつ、第２の電圧設定手段によって、第２の電圧が、回線の電圧が無し又は有りの場合に対応させて設定されることによって、自動復旧装置による再閉路時の遮断器の投入の試験がなされる。
【００１７】
請求項２の発明は、請求項１に記載の自動復旧機能試験装置であって、前記回線の電圧が有りの場合に対応する前記第２の電圧を変更して設定する電圧変更設定手段を備えたことを特徴としている。
【００１８】
請求項３の発明は、請求項１又は２に記載の自動復旧機能試験装置であって、前記第１の電圧を、前記母線の電圧が無しの場合に対応させて設定し、かつ、前記第２の電圧を、前記回線の電圧が無しの場合に対応させて設定するための全停遮断操作手段を備えたことを特徴としている。
【００１９】
請求項４の発明は、母線の電圧と、前記母線に接続される回線の電圧とに基づいて、前記回線に配置された遮断器の開閉を制御する自動復旧装置の機能を試験するための自動復旧機能試験方法であって、前記自動復旧装置に、前記母線の電圧に対応する第１の電圧を前記自動復旧装置へ供給するための第１の電圧設定手段と、前記回線の電圧に対応する第２の電圧を前記自動復旧機能試験装置へ供給するための第２の電圧設定手段とを備えた自動復旧機能試験装置を接続し、前記第１の電圧設定手段によって、前記第１の電圧を、前記母線の電圧が無しの場合に対応させて設定し、かつ、前記第２の電圧設定手段によって、前記第２の電圧を、前記回線の電圧が無しの場合に対応させて設定して、前記自動復旧装置による全停時の前記遮断器の遮断の試験を実施し、再閉路条件に応じて、前記第１の電圧設定手段によって、前記第１の電圧を、前記母線の電圧が無し又は有りの場合に対応させて設定し、かつ、前記第２の電圧設定手段によって、前記第２の電圧を、前記回線の電圧が無し又は有りの場合に対応させて設定して、前記自動復旧装置による再閉路時の前記遮断器の投入の試験を実施することを特徴としている。
【発明の効果】
【００２０】
請求項１の発明によれば、第１の電圧設定手段によって、第１の電圧が、母線の電圧が無しの場合に対応させて設定され、かつ、第２の電圧設定手段によって、第２の電圧が、回線の電圧が無しの場合に対応させて設定されることによって、自動復旧装置による全停時の遮断器の遮断の試験がなされ、再閉路条件に応じて、第１の電圧設定手段によって、第１の電圧が、母線の電圧が無し又は有りの場合に対応させて設定され、かつ、第２の電圧設定手段によって、第２の電圧が、回線の電圧が無し又は有りの場合に対応させて設定されることによって、自動復旧装置による再閉路時の遮断器の投入の試験がなされるので、円滑かつ簡単に試験を実施することができる。また、安全に試験を行うことができる。
【００２１】
請求項２の発明によれば、電圧変更設定手段によって、回線の電圧が有りの場合に対応する第２の電圧を変更して設定することができるので、例えば、回線の電圧について、２相分の入力が必要な場合でも、電圧を切り替えることができるので、単一の自動復旧機能試験装置で円滑かつ簡単に試験を実施することができる。
【００２２】
請求項３の発明によれば、全停遮断操作手段によって、第１の電圧を、母線の電圧が無しの場合に対応させて設定し、かつ、第２の電圧を、回線の電圧が無しの場合に対応させて設定することができるので、全停時の遮断試験を、簡単に、かつ迅速に実施することができる。
【００２３】
請求項４の発明によれば、第１の電圧設定手段によって、第１の電圧が、母線の電圧が無しの場合に対応させて設定され、かつ、第２の電圧設定手段によって、第２の電圧が、回線の電圧が無しの場合に対応させて設定されることによって、自動復旧装置による全停時の遮断器の遮断の試験がなされ、再閉路条件に応じて、第１の電圧設定手段によって、第１の電圧が、母線の電圧が無し又は有りの場合に対応させて設定され、かつ、第２の電圧設定手段によって、第２の電圧が、回線の電圧が無し又は有りの場合に対応させて設定されることによって、自動復旧装置による再閉路時の遮断器の投入の試験がなされるので、円滑かつ簡単に試験を実施することができる。
【図面の簡単な説明】
【００２４】
【図１】この発明の一実施の形態であるＡＲＥ試験装置の構成を示す斜視図である。
【図２】同ＡＲＥ試験装置の構成を示す平面図である。
【図３】同ＡＲＥ試験装置が適用される電力系統を説明するための説明図である。
【図４】同ＡＲＥ試験装置が適用される電力系統を説明するための説明図である。
【図５】同ＡＲＥ試験装置の構成を示す回路図である。
【図６】同ＡＲＥ試験装置の電圧切替部の構成を示す回路図である。
【図７】同ＡＲＥ試験装置の接続方法を説明するための説明図である。
【図８】同ＡＲＥ試験装置を用いた自動復旧機能の試験方法を説明するための処理手順図である。
【図９】同ＡＲＥ試験装置が適用される自動復旧装置の構成及び機能を説明するための説明図である。
【図１０】同ＡＲＥ試験装置の動作を説明するための処理手順図である。
【図１１】従来技術を説明するための説明図である。
【図１２】従来技術を説明するための説明図である。
【図１３】従来技術を説明するための説明図である。
【図１４】従来技術を説明するための説明図である。
【発明を実施するための形態】
【００２５】
次に、この発明の実施の形態について、図面を用いて詳しく説明する。
【００２６】
図１は、この発明の一実施の形態であるＡＲＥ試験装置の構成を示す斜視図、図２は、同ＡＲＥ試験装置の構成を示す平面図、図３及び図４は、同ＡＲＥ試験装置が適用される電力系統を説明するための説明図、図５は、同ＡＲＥ試験装置の構成を示す回路図、図６は、同ＡＲＥ試験装置の電圧切替部の構成を示す回路図、図７は、同ＡＲＥ試験装置の接続方法を説明するための説明図、図８は、同ＡＲＥ試験装置を用いた自動復旧機能の試験方法を説明するための処理手順図、図９は、同ＡＲＥ試験装置が適用される自動復旧装置の構成及び機能を説明するための説明図、図１０は、同ＡＲＥ試験装置の動作を説明するための処理手順図である。
【００２７】
図１及び図２に示すようなＡＲＥ試験装置１は、図３に示すように、変電所Ｄ（Ｅ）等の電気所に設置された自動復旧装置（ＡＲＥ盤）２（３）の、例えば、電力系統の全停を検出すると一定時間経過後に遮断器を遮断するとともに、遮断器の事故による遮断から一定時間経過後に、遮断した遮断器を入操作により自動的に復旧する（再閉路を実施する）機能を試験するために用いられる。
【００２８】
図３において、変電所Ｄ（Ｅ）は、送電線Ｌ０を介して電力を、変電所Ｅ（Ｄ）へ送る。変電所Ｄ（Ｅ）では、送電線Ｌ０は母線Ｂａ（Ｂｂ）に接続され、送電線Ｌ０には、遮断器５（８）が接続されている。
【００２９】
自動復旧装置２（３）は、母線Ｂａ（Ｂｂ）に設置された計器用変圧器（ＰＤ）６（９）からの母線電圧に対応した電圧（以下、ＶＢという。）と、送電線Ｌ０に設置された計器用変圧器７（１１）からの線路電圧に対応した電圧（以下、ＶＬという。）とに基づいて、遮断器５（８）の開閉を制御する。
【００３０】
図４（ａ）〜図４（ｄ）に示すように、電力系統の形態に対応した再閉路方式により、再閉路条件が異なる。なお、図４（ａ）〜図４（ｄ）においては、自動復旧装置等の図示を省略している。また、図３は、図４（ｃ）に対応している。図４（ａ）に示すような電力系統において、変電所Ｄａは、単一の送電線を介して電力を送る。変電所Ｄａでは、送電線には、遮断器５ａが接続されている。この場合、送電端では、「ＶＢ有り」が再閉路条件となる。
【００３１】
図４（ｂ）に示すような電力系統において、変電所Ｄｂは、二重の送電線を介して電力を、変電所Ｅｂへ送る。変電所Ｄｂ（Ｅｂ）では、一方の送電線には、遮断器５ｂ（８ｂ）が接続され、他方の送電線には、遮断器５ｃ（８ｃ）が接続されている。この場合、送電端では、「ＶＢ有り」が再閉路条件となる。また、受電端では、「ＶＢ有り」、「ＶＬ有り」、「同期・隣回線遮断器オン」、又は「ＶＢ無し」、「ＶＬ有り」、「隣回線遮断器オフ」（又は「受電他回線遮断器オフ」）が再閉路条件となる。
【００３２】
図４（ｃ）に示すような電力系統において、変電所Ｄｃ（Ｅｃ）は、単一の送電線を介して電力を、変電所Ｅｃ（Ｄｃ）へ送る。変電所Ｄｃ（Ｅｃ）では、送電線には、遮断器５ｄ（８ｄ）が接続されている。この場合、送電端では、「ＶＢ有り」、「ＶＬ無し」が再閉路条件となる。また、受電端では、「ＶＢ無し」、「ＶＬ有り」が再閉路条件となる。
【００３３】
図４（ｄ）に示すような電力系統において、変電所Ｄｄ（Ｅｄ）は、二重の送電線を介して電力を、変電所Ｅｄ（Ｄｄ）へ送る。変電所Ｄｄ（Ｅｄ）では、一方の送電線には、遮断器５ｅ（８ｅ）が接続され、他方の送電線には、遮断器５ｆ（８ｆ）が接続されている。この場合、送電端では、「ＶＢ有り」、「ＶＬ有り」、「同期・隣回線遮断器オン」、又は、「ＶＢ有り」、「ＶＬ無し」が再閉路条件となる。また、受電端では、「ＶＢ有り」、「ＶＬ有り」、「同期・隣回線遮断器オン」、又は、「ＶＢ無し」、「ＶＬ有り」、「隣回線遮断器オフ」が再閉路条件となる。
【００３４】
ＡＲＥ試験装置１は、図１、図２、図５及び図７に示すように、電源を供給する電圧発生器３５に接続される電圧入力端子１９ａ，１９ｂと、自動復旧装置２に接続されるＡＲＥ入力端子２１ａ，２１ｂ，２１ｃと、電源スイッチ２２と、ＶＢの「有り」又は「無し」を選択するためのＶＢ切替スイッチ２４と、ＶＬの「有り」又は「無し」を選択するためのＶＬ切替スイッチ２５と、全停遮断ボタン２６と、ＰＴＴプラグ３６を介して自動復旧装置２のＰＴＴターミナル３７に接続されるＶＢ出力部２７及びＶＬ出力部２８とが筐体２９に取り付けられ、かつ、ＶＬの電圧（線間電圧（１００Ｖ）又は相電圧（６３．５Ｖ））を選択するための電圧切替スイッチ２３を含む電圧切替部３１や、各種リレーが筐体２９に収納されて概略構成されている。なお、図７においては、説明の便宜上、自動復旧装置２を、ＡＲＥ試験装置１の入力側と出力側とで別々に図示している。
【００３５】
図７に示すように、ＰＴＴプラグ３６は、４組の端子を有し、このうち、ＶＢ（第１の電圧）印加、ＶＬ（第２の電圧）印加のために、それぞれ２組の端子が割り当てられる。ＶＢが線間電圧（１１０Ｖ）、ＶＬが相電圧（６３．５Ｖ）の場合は、ＶＢ用の一方の端子にＴ相（Ｒ相、Ｓ相）、他方の端子にＲ相（Ｓ相、Ｔ相）が割り当てられ、ＶＬ用の一方の端子は接地に接続され、他方の端子にＲ相（Ｓ相、Ｔ相）が割り当てられる。なお、ＶＢは、ＶＬよりも位相が３０°遅れる。なお、ＶＬも線間電圧の場合は、同相のＶＢが入力される。
【００３６】
ＡＲＥ試験装置１において、図５に示すように、ＡＲＥ入力端子（Ｐ）２１ｂ、ＡＲＥ入力端子（Ｎ）２１ｃに接続された両制御電源母線間には、直列接続された全停遮断ボタン２６及び不足電圧補助リレーのリレーコイル（２７Ｘ）３３ｒと、直列接続された不足電圧補助リレーの接点（２７Ｘ）３３ｔ及びタイマ（ＴＬ）３４ｒとが接続され、全停遮断ボタン２６には、直列接続された不足電圧補助リレーの接点（２７Ｘ）３３ｓ及びタイマ接点３４ｓとが並列接続されている。また、ＡＲＥ入力端子２１ａと、負側の制御電源母線間には、交流遮断補助リレーのリレーコイル（５２ａ）３２ｒが接続されている。
【００３７】
また、電圧入力端子１９ａと電圧切替部３１との間には、不足電圧リレーの接点（２７Ｘ）３３ｕが接続されている。また、電圧切替部３１と、ＶＢ出力端子２７ａとの間には、並列接続されたＶＢ切替スイッチ２４及び交流遮断補助リレーのリレーコイル（５２ａ）３２ｓが接続され、電圧切替部３１と、ＶＬ出力端子２８ａとの間には、並列接続されたＶＬ切替スイッチ２５及び交流遮断リレーのリレーコイル（５２ａ）３２ｔが接続されている。
【００３８】
電圧切替部３１は、図６に示すように、電源スイッチ２２と、二次側に１１０Ｖ又は６３．５Ｖの電圧を得るためのタップが設けられたトランス３７と、ＶＬの電圧（１１０Ｖ又は６３．５Ｖ）を選択するための電圧切替スイッチ２３とを有している。
【００３９】
自動復旧装置２には、図５、図７及び図９に示すように、回線に対応した多数のテストターミナル３７，３７，…や、各種リレー等が設けられている。自動復旧装置２は、制御電源装置１３から電源を受給する入力端子４８ａ，４８ｂと、現地の遮断器５から信号を受けるための入力端子４９ａ，４９ｂと、現地の断路器１５から信号を受けるための入力端子５１と、計器用変圧器（ＰＤ）６から信号を受けるための入力端子５２ａ，５２ｂと、計器用変圧器（ＰＤ）７から信号を受けるための入力端子５３ａ，５３ｂと、受電盤１６へＡＲＥ不良信号ｒ４を出力するための出力端子５４と、受電盤１６を経由して遮断器５へトリップ指令信号ｒ２を出力するための出力端子５５と、受電盤１６を経由して遮断器５へ投入指令信号ｒ３を出力するための出力端子５６と、リレー盤１７からＡＲＥ起動用トリップ指令信号が入力される入力端子５７とを有する。
【００４０】
また、入力端子４８ａ，４８ｂは、ＡＲＥ試験装置１のＡＲＥ入力端子２１ｂ，２１ｃに接続され、入力端子４９ｂは、ＡＲＥ入力端子２１ａに接続され、入力端子４８ａ，４８ｂは、電源スイッチ３８を介して内部の回路に接続される。
【００４１】
また、自動復旧装置２は、図９に示すように、遮断器状態判定回路３９と、再閉路可否判定回路４１と、不良検出回路４２と、差電圧判定回路４３と、全停検出回路４４と、投入用タイマ４５と、全停用タイマ４６と、不良検出用タイマ４７とを有している。遮断器状態判定回路３９は、断路器１５が「入り」、遮断器５が「入り」のときに、遮断器５「入り」と判定し、「１」の出力信号を不良検出回路４２に供給する。再閉路可否判定回路４１は、再閉路方式に応じて、入力されたＶＢ、ＶＬに基づいて、再閉路可の場合に、投入用タイマ４５へ「１」の出力信号を供給して起動させる。
【００４２】
差電圧判定回路４３は、ＶＢとＶＬとの間に差電圧が「有り」と判定すると、「１」の出力信号を不良検出回路４２に供給する。不良検出回路４２は、遮断器５「入り」で、差電圧「有り」の場合に、不良検出用タイマ４７へ「１」の出力信号を供給して起動させる。全停検出回路４４は、再閉路可否判定回路４１からの入力が、ＶＢ「無し」、ＶＬ「無し」の場合に、全停用タイマ４６へ「１」の出力信号を供給して起動させる。なお、投入用タイマ４５は、線路毎に可変可能である。
【００４３】
また、制御電源装置１３は、図５及び図９に示すように、自動復旧装置２へ制御用電源を供給するための出力端子６３ａ，６３ｂを有し、出力端子６３ａ，６３ｂの内部側には、電源スイッチ６４が接続されている。また、遮断器５は、信号を自動復旧装置２へ送るための出力端子５９ａ，５９ｂと、投入指令信号が入力される入力端子５９ｃと、トリップ指令信号が入力される入力端子５９ｄとを有し、出力端子５９ａ，５９ｂ間には、交流遮断リレーの接点６１が接続され、入力端子５９ｃ，５９ｄには、それぞれ、投入コイル６２、トリップコイル６３が接続されている。また、断路器１５は、信号を自動復旧装置２へ送るための出力端子６５ａ，６５ｂを有し、出力端子６５ａ，６５ｂ間には、開閉リレーの接点６６が接続されている。
【００４４】
また、受電盤１６は、自動復旧装置２からＡＲＥ不良信号ｒ４が入力される入力端子６７ａと、「切り」スイッチ６８が接続される端子６７ｂと、「入り」スイッチ６９が接続される端子６７ｃとを有している。また、リレー盤１７は、トリップ指令信号ｒ１を受電盤１６を経由して遮断器５へ送るための出力端子７１ａと、自動復旧装置２へ、起動条件としてのＡＲＥ起動用トリップ指令信号を送るための出力端子７１ｂとを有している。また、計器用変圧器６（７）は、自動復旧装置２へ信号を送るための出力端子７２ａ，７２ｂ（７３ａ，７３ｂ）を有している。
【００４５】
次に、図８及び図９を参照して、ＡＲＥ試験装置１を用いた自動復旧機能の試験方法について説明する。ここでは、再閉路条件として、ＶＢ「有り」、ＶＬ「無し」が選択される場合について述べる。まず、自動復旧装置２のテストターミナル３７のプラグ挿入口にＰＴＴプラグ３６を挿入する（ステップＳＡ１１（図８））。次に、ＡＲＥ試験装置１と、電圧発生器３５及びＰＴＴプラグ３６とを接続する（ステップＳＡ１２）。ここで、電圧発生器３５に代えて、商用電源のコンセントからＡＲＥ試験装置１に配線して接続しても良い。
【００４６】
次に、電圧切替スイッチ２３で、電圧を選択するとともに、ＶＢ切替スイッチ２４及びＶＬ切替スイッチ２５を用いて、ＶＢ「有り」、ＶＬ「有り」を選択し、電源スイッチ２２を「入り」とする（ステップＳＡ１３）。これにより、図９に示すように、投入指令信号ｒ３を投入コイル６２に供給し、遮断器５を「入り」操作する（ステップＳＡ１４）。
【００４７】
次に、リレー模擬動作又は全停遮断動作を選択する（ステップＳＡ１５）。リレー模擬動作の場合は、ステップＳＡ１６へ進み、全停遮断動作の場合は、ステップＳＡ１７へ進む。ステップＳＡ１６では、リレー盤１７において、模擬動作を実施し、トリップ指令信号ｒ１がトリップコイル６３に供給され、遮断器５が「切り」となる（ステップＳＡ１９）。
【００４８】
ステップＳＡ１７で、ＡＲＥ試験装置１において、全停遮断ボタン２６を押下すると、全停用タイマが動作し（ステップＳＡ１８）、所定時間（５ｓ）後に、トリップ指令信号ｒ２がトリップコイル６３に供給され、遮断器５が「切り」となる（ステップＳＡ１９）。
【００４９】
次に、ステップＳＡ２０で、ＡＲＥ試験装置１において、ＶＢ切替スイッチ２４及びＶＬ切替スイッチ２５を用いて、ＶＢ「有り」、ＶＬ「無し」を選択すると、投入用タイマが動作し（ステップＳＡ２１）、所定時間後に、投入指令信号ｒ３が投入コイル６２に供給され、遮断器５が「入り」となる（ステップＳＡ２２）。
【００５０】
次に、ＡＲＥ試験装置１において、ＶＬ切替スイッチ２５を用いて、ＶＬ「有り」を選択する（ステップＳＡ２３）。ステップＳＡ２４で、例えば、遮断器５「入り」で、ＶＢとＶＬとの間に差電圧が「有り」の状態が所定時間以上継続すると、不良検出タイマから、ＡＲＥ不良信号ｒ４が供給されて、ＡＲＥ不良表示がなされる（ステップＳＡ２５）。また、例えば、遮断器５「入り」で、ＶＢとＶＬとの間に差電圧が「有り」の状態が所定時間以内で解除された場合は、処理を終了する。
【００５１】
次に、図５及び図１０を参照して、ＡＲＥ試験装置１の動作について詳述する。まず、ＡＲＥ試験装置１において、全停遮断ボタン２６を押下すると（ステップＳＢ１１（図１０））、図５に示すように、リレーコイル３３ｒが励磁されて、接点３３ｕが開放され、接点３３ｓ，３３ｔが閉鎖される（ステップＳＢ１２）。
【００５２】
接点３３ｕが開放されることにより、ＶＢ「無し」、ＶＬ「無し」となり（ステップＳＢ１３）、接点３３tの閉鎖により、タイマ３４ｒが起動し（ステップＳＢ１４）、所定時間（６ｓ）後にタイマ接点３４ｓが復帰し、リレーコイル３３ｒは非励磁状態となる（ステップＳＢ１５）。一方、ＶＢ「無し」、ＶＬ「無し」となって所定時間（５ｓ）後に、遮断器５が「切り」となり（ステップＳＢ１６）、リレーコイル３２ｒは非励磁状態となり、接点３２ｓ，３２ｔは開放され（ステップＳＢ１７）、ＶＢ「無し」、ＶＬ「無し」となる（ステップＳＢ１８）。
【００５３】
次に、ステップＳＢ１９で、再閉路方式が選択され、ＶＢ「有り」、ＶＬ「有り」の場合は、ステップＳＢ２０へ進み、ＶＢ切替スイッチ２４及びＶＬ切替スイッチ２５を用いて、ＶＢ「有り」、ＶＬ「有り」を選択する。また、ＶＢ「有り」、ＶＬ「無し」の場合は、ステップＳＢ２１へ進み、ＶＢ切替スイッチ２４及びＶＬ切替スイッチ２５を用いて、ＶＢ「有り」、ＶＬ「無し」を選択する。
【００５４】
また、ＶＢ「無し」、ＶＬ「有り」の場合は、ステップＳＢ２２へ進み、ＶＢ切替スイッチ２４及びＶＬ切替スイッチ２５を用いて、ＶＢ「無し」、ＶＬ「有り」を選択する。こうして、遮断器５が「入り」となり（ステップＳＢ２３）、リレーコイル３２ｒは励磁され、接点３２ｓ，３２ｔは閉鎖され（ステップＳＢ２４）、ＶＢ「有り」、ＶＬ「有り」となる（ステップＳＢ２５）。
【００５５】
こうして、この実施の形態の構成によれば、電圧切替部３１の電圧切替スイッチ２３を用いて、１相分の入力が可能であれば良い場合でも、２相分の入力が必要な場合でも、電圧を切り替えて試験を実施することができるので、１台のＡＲＥ試験装置１で円滑かつ簡単に試験を実施することができる。しかも、電源として商用電源を用いることによって、電源を供給する電圧発生器を特別に用意する必要がない。
【００５６】
また、ＶＢ切替スイッチ２４及びＶＬ切替スイッチ２５を用いて、ＶＢ「有り」／「無し」、ＶＬ「有り」／「無し」を選択し、再閉路条件を試験実施前に簡単に設定することができるので、円滑かつ簡単に試験を実施することができる。また、試験用ケーブルを取り外す必要がないので、作業員の感電を防止し、安全に試験を行うことができる。また、全停遮断ボタン２６を用いることによって、全停時の遮断試験を、簡単に、かつ迅速に実施することができる。
【００５７】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態では、電圧変更設定手段としてのＶＬ切替スイッチを用いて、ＶＬを２通りの電圧に切り替える場合について述べたが、３通り以上でも連続的に変化可能としても良いし、ＶＢも変更可能としても良い。
【産業上の利用可能性】
【００５８】
電気所として、変電所のほか、発電所等に自動復旧装置が設置される場合に適用できる。
【符号の説明】
【００５９】
１  ＡＲＥ試験装置（自動復旧機能試験装置）
２，３  自動復旧装置
５，８  遮断器
２３  電圧切替スイッチ（電圧変更設定手段）
２４  ＶＢ切替スイッチ（第１の電圧設定手段）
２５  ＶＬ切替スイッチ（第２の電圧設定手段）
２６  全停遮断ボタン（全停遮断操作手段）
Ｂａ，Ｂｂ  母線
Ｌ０  送電線（回線）
【図１】
2011160624.tif 000003
【図２】
2011160624.tif 000004
【図３】
2011160624.tif 000005
【図４】
2011160624.tif 000006
【図５】
2011160624.tif 000007
【図６】
2011160624.tif 000008
【図７】
2011160624.tif 000009
【図８】
2011160624.tif 000010
【図９】
2011160624.tif 000011
【図１０】
2011160624.tif 000012
【図１１】
2011160624.tif 000013
【図１２】
2011160624.tif 000014
【図１３】
2011160624.tif 000015
【図１４】
2011160624.tif 000016